(57)【要約】【課題】映像を見えやすくすることができるメガネ用投影装置及び表示装置を提供することである。【解決手段】実施形態のメガネ用投影装置は、投影機ユニットと、回動軸と、規制機構と、を持つ。投影機ユニットは、メガネに映像を投影可能である。回動軸は、前記投影機ユニットを回動可能に支持する。規制機構は、前記回動軸の周方向における前記投影機ユニットの位置を規制する。規制機構は、前記投影機ユニットを前記回動軸の周方向に回動させることが可能である。【選択図】図５
2017126845.tif 000002
【特許請求の範囲】
【請求項１】
メガネに映像を投影可能な投影機ユニットと、
前記投影機ユニットを回動可能に支持する回動軸と、
前記回動軸の周方向における前記投影機ユニットの位置を規制するとともに、前記投影機ユニットを前記回動軸の周方向に回動させることが可能な規制機構と、
を備えるメガネ用投影装置。
【請求項２】
前記規制機構は、
前記投影機ユニットを前記回動軸の周方向に沿う第１方向に付勢する付勢部材と、
前記付勢部材の付勢力に抗して前記投影機ユニットの前記第１方向の位置を規制するとともに、前記投影機ユニットを前記１方向及び前記第１方向とは反対の第２方向に回動させることが可能な規制部と、を備える、
請求項１に記載のメガネ用投影装置。
【請求項３】
前記付勢部材は、前記回動軸の周方向における前記投影機ユニットの第１側部に当接する当接部を備え、
前記規制部は、前記投影機ユニットを前記第１方向及び前記第２方向に回動させるように、前記第１側部から前記投影機ユニットの前記第１側部とは反対側の第２側部に向かう第３方向及び前記第３方向とは反対の第４方向に進退移動可能である、
請求項２に記載のメガネ用投影装置。
【請求項４】
前記規制部は、前記第２側部に当接するねじ先を有するおねじ部材と、前記おねじ部材の軸部を回動可能に支持するめねじ部材と、を備える、
請求項３に記載のメガネ用投影装置。
【請求項５】
前記軸部の軸線方向から見て、前記おねじ部材の頭部の外形は、前記軸部の外形よりも大きい、
請求項４に記載のメガネ用投影装置。
【請求項６】
前記回動軸が回動可能に挿通される貫通孔が形成されるとともに、前記投影機ユニットを覆うカバーを更に備える、
請求項１から５の何れか一項に記載のメガネ用投影装置。
【請求項７】
前記回動軸は、左右の眼が並ぶ方向に沿う前記メガネの幅方向に前記映像が移動するように、前記投影機ユニットを回動可能に支持する、
請求項１から６の何れか一項に記載のメガネ用投影装置。
【請求項８】
メガネと、
請求項１から７の何れか一項に記載のメガネ用投影装置と、
を備える表示装置。
【発明の詳細な説明】
【技術分野】
【０００１】
本発明の実施形態は、メガネ用投影装置及び表示装置に関する。
【背景技術】
【０００２】
従来、メガネ状及びゴーグル状等の形状を有する頭部装着型の表示装置がある。表示装置は、映像投影部及び光学ユニットを備える。映像投影部は、映像を含む映像光を出射する。光学ユニットは、観視者の眼の前に配置される。光学ユニットには、映像投影部からの映像光が入射する。光学ユニットで反射された反射光は、観視者の眼に入射する。
ところで、観視者の眼の位置には個人差がある。しかしながら、従来の技術では、光学ユニットに入射する映像光の位置が限定的である。したがって、眼の位置の個人差によっては、映像が見えにくくなる可能性があった。
【先行技術文献】
【特許文献】
【０００３】
【特許文献１】特開２０１３−７３０７０号公報
【発明の概要】
【発明が解決しようとする課題】
【０００４】
本発明が解決しようとする課題は、映像を見えやすくすることができるメガネ用投影装置及び表示装置を提供することである。
【課題を解決するための手段】
【０００５】
実施形態のメガネ用投影装置は、投影機ユニットと、回動軸と、規制機構と、を持つ。投影機ユニットは、メガネに映像を投影可能である。回動軸は、前記投影機ユニットを回動可能に支持する。規制機構は、前記回動軸の周方向における前記投影機ユニットの位置を規制する。規制機構は、前記投影機ユニットを前記回動軸の周方向に回動させることが可能である。
【図面の簡単な説明】
【０００６】
【図１】実施形態に係る表示装置の斜視図。
【図２】実施形態に係るメガネ用投影装置の斜視図。
【図３】実施形態に係るメガネ用投影装置の平面図。
【図４】図３のＩＶ−ＩＶ断面図。
【図５】図４のＶ−Ｖ断面図。
【発明を実施するための形態】
【０００７】
以下、実施形態の表示装置１を、図面を参照して説明する。なお、各図において、同一構成については同一の符号を付す。
【０００８】
図１は、実施形態に係る表示装置１の斜視図である。以下、表示装置１の一例として、メガネ状の形状を有する頭部装着型の表示装置１を挙げて説明する。
図１に示すように、表示装置１は、メガネ２及びメガネ用投影装置３を備える。
【０００９】
メガネ２は、光学ユニット１０及びフレーム１３を備える。以下、表示装置１の使用者を観視者という。例えば、表示装置１は、光学シースルー型の表示装置１である。観視者は、光学ユニット１０を透過する透過光に含まれる背景像を観視することができる。また、観視者は、メガネ用投影装置３から出射され光学ユニット１０で反射された映像光を観視することができる。すなわち、観視者は、背景像及び映像光を同時に観視したり、背景像のみを観視したりすることができる。
【００１０】
光学ユニット１０は、観視者の眼の前に配置される。光学ユニット１０は、右眼用光学部材１１及び左眼用光学部材１２を備える。右眼用光学部材１１は、観視者の右眼の前に配置される。左眼用光学部材１２は、観視者の左眼の前に配置される。右眼用光学部材１１及び左眼用光学部材１２は、メガネのレンズ状の形状を有する。例えば、右眼用光学部材１１及び左眼用光学部材１２は、度なしの部材である。メガネ用投影装置３は、右眼用光学部材１１のみに映像光を入射させる。
【００１１】
左眼用光学部材１２は、光透過性を有する単一の部材で形成される。例えば、左眼用光学部材１２は、可視光に対して透過性を有するガラス、樹脂等で形成される。
一方、右眼用光学部材１１は、複数種類の層の積層構造を有する。具体的に、右眼用光学部材１１は、不図示の光学層及び中間層を備える。
【００１２】
光学層は、光透過性を有する。例えば、光学層は、可視光に対して透過性を有するガラス、樹脂等で形成される。
【００１３】
中間層は、映像光の少なくとも一部を反射する。中間層は、背景像を含む透過光の少なくとも一部を透過する。例えば、中間層は、アルミニウム膜等の金属膜、金属化合物膜、多層積層膜による反射透過膜等で形成される。なお、中間層を金属膜、金属化合物膜で形成する場合には、中間層が映像光を反射し、かつ透過光を透過するように、中間層の厚さを十分に薄くする。
【００１４】
例えば、中間層の可視光（例えば、緑色光）に対する透過率は、９０％以上であることが好ましい。中間層の透過率が過度に低いと、透過光が十分に眼に到達しない。中間層の可視光に対する透過率が９０％以上であることで、明るい背景像を観視することができる。
【００１５】
フレーム１３は、右側装着部材１４、左側装着部材１５及び連結部材１６を備える。右側装着部材１４は、観視者の右耳に引っ掛けられる。左側装着部材１５は、観視者の左耳に引っ掛けられる。連結部材１６は、右側装着部材１４及び左側装着部材１５を連結する。連結部材１６は、右眼用光学部材１１及び左眼用光学部材１２を保持する。フレーム１３は、光学ユニット１０と観視者の眼との相対的な位置関係を規定する。
【００１６】
連結部材１６の右端部（観視者の右耳寄りの部分）には、メガネ用投影装置３が取り付けられる。例えば、ボルト等の締結部材を介して、連結部材１６の右端部に、メガネ用投影装置３のカバー４０が取り付けられる。フレーム１３は、光学ユニット１０とメガネ用投影装置３との相対的な位置関係を規定する。
【００１７】
以下、メガネ用投影装置３について詳述する。
図２は、実施形態に係るメガネ用投影装置３の斜視図である。図３は、実施形態に係るメガネ用投影装置３の平面図である。図４は、図３のＩＶ−ＩＶ断面図である。図５は、図４のＶ−Ｖ断面図である。具体的に、図５は、図４のＶ−Ｖ断面を含む、投影機ユニット２０の回動方向を示す図である。
【００１８】
図２〜図５に示すように、メガネ用投影装置３は、投影機ユニット２０、回動軸２５ｂ、規制機構３０及びカバー４０を備える。
図４及び図５に示すように、投影機ユニット２０は、画像エンジン２１、光学素子２２及び筐体２３を備える。図２に示すように、投影機ユニット２０には、ケーブル５０が接続される。例えば、ケーブル５０は、不図示のＵＳＢ（Universal Serial Bus）ケーブル及びＨＤＭＩ（登録商標、High Definition Multimedia Interface）ケーブルを備える。
【００１９】
画像エンジン２１は、不図示のＤＡ変換回路、駆動回路及び発光部を備える。画像エンジン２１には、ＵＳＢケーブルを介して、外部電源から駆動電力が供給される。画像エンジン２１には、ＨＤＭＩケーブルを介して、外部端末から映像信号等のデジタル信号が入力される。ＤＡ変換回路は、デジタル信号をアナログ信号に変換して駆動回路に出力する。駆動回路は、ＤＡ変換回路からのアナログ信号に基づいて、発光部を駆動する。例えば、発光部は、レーザー光を出射するレーザー光源である。発光部からは、映像信号に応じて輝度調整された光が出力される。
【００２０】
図４及び図５に示すように、光学素子２２は、複数のレンズ２２ａ等を含むリレー光学系である。筐体２３は、直方体筒状（四角筒状）の形状を有する。筐体２３は、画像エンジン２１及び光学素子２２を覆う。
【００２１】
光の光路上において、画像エンジン２１と観視者の右眼との間には、光学素子２２と右眼用光学部材１１（図１参照）とが配置される。右眼用光学部材１１は、発光部から出力された光（すなわち映像光）を反射して、観視者の右眼に入射させる。観視者は、光学ユニット１０を通して、背景像と、投影機ユニット２０により表示される表示映像と、の両方を観視することができる。すなわち、表示映像は、背景像に重なって見える。
【００２２】
カバー４０は、投影機ユニット２０の筐体２３の側部を囲むように覆う。図３に示すように、カバー４０は、平面視で緩やかに屈曲するＬ字状を有する。
【００２３】
図５の断面視において、回動軸２５ｂは、投影機ユニット２０における画像エンジン２１と光学素子２２との境界部分に重なる。以下、投影機ユニット２０の筐体２３の側部のうち、回動軸２５ｂの周方向における一方の側部を「第１側部２３ａ」、回動軸２５ｂの周方向における他方の側部（すなわち第１側部２３ａとは反対側の側部）を「第２側部２３ｂ」という。また、回動軸２５ｂの軸線Ｃ１方向における一方の側部を「第３側部２３ｃ」、回動軸２５ｂの軸線Ｃ１方向における他方の側部（すなわち第３側部２３ｃとは反対側の側部）を「第４側部２３ｄ」という。
【００２４】
図４に示すように、筐体２３から立設した回動軸２５ｂは、カバー４０に回動可能に支持される。回動軸２５ｂは、投影機ユニット２０における筐体２３の第４側部２３ｄに取り付けられる。具体的に、筐体２３の第４側部２３ｄには、外側に開口する開口部２３ｈが形成される。筐体２３の開口部２３ｈには、雌螺子部２４ａを有する円筒状の第１螺着部材２４が埋設される。カバー４０には、筐体２３の開口部２３ｈに連通するように回動軸２５ｂの軸線Ｃ１方向に開口する貫通孔４０ｈが形成される。なお、筐体２３の第３側部２３ｃには、カバー４０の内壁面に摺動可能に当接する凸部２６が形成される。すなわち、筐体２３における回動軸２５ｂの軸線Ｃ１方向の位置は、カバー４０の内壁面と筐体２３の凸部２６とで規制される。
【００２５】
第１螺着部材２４の雌螺子部２４ａには、第２螺着部材２５の雄螺子部２５ａが螺着される。具体的に、第２螺着部材２５は、雄螺子部２５ａ、回動軸２５ｂ及び回動頭部２５ｃを備える。雄螺子部２５ａは、雌螺子部２４ａに螺着可能に形成される。回動軸２５ｂの軸線Ｃ１方向において、雄螺子部２５ａの長さは、雌螺子部２４ａの長さよりも短い。回動軸２５ｂは、円柱状を有する。回動軸２５ｂの軸線Ｃ１方向から見て、回動軸２５ｂの外形は、雄螺子部２５ａの外形よりも大きい。回動頭部２５ｃは、円盤状を有する。回動軸２５ｂの軸線Ｃ１方向から見て、回動頭部２５ｃの外形は、回動軸２５ｂの外形よりも大きい。
【００２６】
カバー４０の貫通孔４０ｈを介して、第１螺着部材２４の雌螺子部２４ａには、第２螺着部材２５の雄螺子部２５ａが螺着される。回動軸２５ｂの軸線Ｃ１方向から見て、カバー４０の貫通孔４０ｈは、回動軸２５ｂの外形よりも僅かに大きい円形状を有する。回動軸２５ｂの軸線Ｃ１方向において、回動軸２５ｂの長さは、貫通孔４０ｈの深さよりも大きい。回動軸２５ｂの軸線Ｃ１方向から見て、回動頭部２５ｃの外形は、貫通孔４０ｈよりも大きい。すなわち、回動軸２５ｂは、カバー４０の貫通孔４０ｈに回動可能に挿通される。
【００２７】
カバー４０には、貫通孔４０ｈに連通するように窪む第１凹部４１が形成される。回動軸２５ｂの軸線Ｃ１方向において、第１凹部４１の深さは、回動頭部２５ｃの厚みよりも大きい。回動軸２５ｂの軸線Ｃ１方向から見て、第１凹部４１は、貫通孔４０ｈよりも大きく、かつ回動頭部２５ｃの外形よりも大きい円形状を有する。すなわち、回動頭部２５ｃは、カバー４０の第１凹部４１に回動可能に配置される。
【００２８】
カバー４０には、第１凹部４１に連なるように窪む第２凹部４２が形成される。回動軸２５ｂの軸線Ｃ１方向において、第２凹部４２は、第１凹部４１よりも大きい矩形状を有する。第２凹部４２には、回動頭部２５ｃを覆う蓋部材４３が取り付けられる。回動軸２５ｂの軸線Ｃ１方向において、蓋部材４３は、第２凹部４２の外形と実質的に同じ大きさの矩形板状を有する。以上の構成により、回動軸２５ｂは、投影機ユニット２０を回動可能に支持する。具体的に、回動軸２５ｂは、観視者の左右の眼が並ぶ方向に沿うメガネ２の幅方向Ｖｗ（図１参照）に映像が移動するように、投影機ユニット２０を回動可能に支持する。
【００２９】
図５に示すように、規制機構３０は、付勢部材３１及び規制部３２を備える。付勢部材３１は、回動軸２５ｂの周方向における筐体２３の第１側部２３ａに当接する当接部３１ａを備える。
【００３０】
以下、図５の断面視で、回動軸２５ｂの軸線Ｃ１を通り、かつ不図示の発光部から出力された映像光が右眼用光学部材１１（図１参照）に投影されるまでの光路に沿う軸線を「投影軸線ＣＬ」という。図５の断面視で、当接部３１ａは、筐体２３の第１側部２３ａのうち、投影軸線ＣＬに沿う方向において光学素子２２とは反対側の部分に当接する。
【００３１】
例えば、付勢部材３１は、板バネである。板バネの一端部は、カバー４０の内壁部に固定される。板バネの他端部は前記当接部３１ａとして筐体２３の第１側部２３ａに当接する。以上の構成により、付勢部材３１は、投影機ユニット２０を回動軸２５ｂの周方向に沿う第１方向Ｖ１に付勢する。投影機ユニット２０は、常時、第１方向Ｖ１に付勢される。なお、回動軸２５ｂの周方向に沿う第１方向Ｖ１とは反対の方向を「第２方向Ｖ２」とする。
【００３２】
規制部３２は、おねじ部材３３及びめねじ部材３４を備える。おねじ部材３３は、軸部３３ａ及び頭部３３ｂを備える。軸部３３ａは、筐体２３の第２側部２３ｂに当接するねじ先３３ｅを備える。ねじ先３３ｅは、筐体２３の第２側部２３ｂのうち、筐体２３を挟んで付勢部材３１の当接部３１ａと対向する部分に当接する。めねじ部材３４は、おねじ部材３３の軸部３３ａを回動可能に支持する。カバー４０には、軸部３３ａの軸線Ｃ２方向に開口する貫通孔４０ｉが形成される。カバー４０の貫通孔４０ｉには、めねじ部材３４が埋設される。
【００３３】
軸部３３ａの軸線Ｃ２方向から見て、おねじ部材３３の頭部３３ｂの外形は、軸部３３ａの外形よりも大きい。さらに、軸部３３ａの軸線Ｃ２方向から見て、おねじ部材３３の頭部３３ｂの外形は、めねじ部材３４の外形よりも大きい。おねじ部材３３の頭部３３ｂの大部分は、カバー４０の内部空間４０ｓ（すなわち、筐体２３とカバー４０との間の空間）に収まる。
【００３４】
カバー４０には、軸部３３ａの軸線Ｃ２と直交する方向に開口する貫通孔４０ｋが形成される。図５の断面視で、カバー４０の貫通孔４０ｋは、おねじ部材３３の頭部３３ｂと重なるように延びる長方形状を有する。おねじ部の頭部３３ｂの一部は、カバー４０の貫通孔４０ｋを介して外部に露出する。したがって、おねじ部材３３の頭部３３ｂ全体が外部に露出する場合と比較して、おねじ部材３３の頭部３３ｂを保護することができる。
【００３５】
おねじ部材３３の頭部３３ｂは、円盤状を有する。おねじ部材３３の頭部３３ｂの外周縁には、滑り止め部３３ｆが形成される。例えば、滑り止め部３３ｆは、頭部３３ｂの周方向に間隔を空けて形成された複数の溝を有する。複数の溝は、頭部３３ｂの周方向と交差する方向に延びる。具体的に、複数の溝は、軸部３３ａの軸線Ｃ２と実質的に平行な方向に延びる。したがって、おねじ部材３３の頭部３３ｂの大部分がカバー４０等で覆われる場合であっても、指の腹でおねじ部材３３を回動させやすい。すなわち、おねじ部材３３の頭部３３ｂを保護しつつ、投影機ユニット２０の微調整を容易に行うことができる。
【００３６】
以下、筐体２３の第１側部２３ａから第２側部２３ｂに向かう方向を「第３方向Ｖ３」、筐体２３の第２側部２３ｂから第１側部２３ａに向かう方向（すなわち第３方向Ｖ３とは反対の方向）を「第４方向Ｖ４」という。また、軸部３３ａの軸線Ｃ２方向において、おねじ部材３３を頭部３３ｂの側から見たときの右回りを「時計回り」、おねじ部材３３を頭部３３ｂの側から見たときの左回り（すなわち時計回りとは反対の方向）を「反時計回り」という。
【００３７】
例えば、軸部３３ａの周方向において、おねじ部材３３の頭部３３ｂを時計回りに回動させると、軸部３３ａは第４方向Ｖ４に移動する。一方、軸部３３ａの周方向において、おねじ部材３３の頭部３３ｂを反時計回りに回動させると、軸部３３ａは第３方向Ｖ３に移動する。
【００３８】
すなわち、規制部３２は、付勢部材３１の付勢力に抗して投影機ユニット２０の第１方向Ｖ１の位置を規制することが可能である。加えて、規制部３２は、投影機ユニット２０を第１方向Ｖ１及び第２方向Ｖ２に回動させることが可能である。具体的に、規制部３２は、投影機ユニット２０を第１方向Ｖ１及び第２方向Ｖ２に回動させるように、第３方向Ｖ３及び第４方向Ｖ４に進退移動可能である。以上の構成により、規制機構３０は、回動軸２５ｂの周方向における投影機ユニット２０の位置を規制することが可能である。加えて、規制機構３０は、投影機ユニット２０を回動軸２５ｂの周方向に回動させることが可能である。
【００３９】
以下、規制機構３０の作用の一例について説明する。
例えば、軸部３３ａの周方向において、おねじ部材３３の頭部３３ｂを時計回りに回動させると、軸部３３ａは第４方向Ｖ４に移動する。すると、回動軸２５ｂの周方向において、投影機ユニット２０は、第２方向Ｖ２に回動する。一方、軸部３３ａの周方向において、おねじ部材３３の頭部３３ｂを反時計回りに回動させると、軸部３３ａは第３方向Ｖ３に移動する。すると、回動軸２５ｂの周方向において、投影機ユニット２０は、第１方向Ｖ１に回動する。すなわち、投影機ユニット２０によって投影される映像は、右眼用光学部材１１において、メガネ２の幅方向Ｖｗ（図１参照）に移動する。以上の作用により、投影角度θを調整することができる。
【００４０】
ところで、観視者の眼の位置には個人差がある。しかしながら、従来の技術では、光学ユニットに入射する映像光の位置が限定的である。したがって、眼の位置の個人差によっては、映像が見えにくくなる可能性がある。
【００４１】
これに対し、実施形態によれば、規制機構３０は、回動軸２５ｂの周方向における投影機ユニット２０の位置を規制するとともに、投影機ユニット２０を回動軸２５ｂの周方向に回動させることが可能であることで、以下の効果を奏する。メガネ２に投影される映像の位置が限定されることはない。すなわち、観視者の眼の位置に個人差がある場合であっても、眼の位置の個人差に応じて映像を移動させることができる。したがって、映像を見えやすくすることができる。
仮に、規制機構３０を備えない構成であると、投影機ユニット２０の位置を容易に調整することはできない。例えば、投影機ユニット２０の位置を規制することが可能な固定ネジを備える構成においては、投影機ユニット２０の位置を調整する際、以下の手順を要する。まず、固定ネジを緩めることにより、投影機ユニット２０を固定ネジの周方向に回動可能とする。次に、投影機ユニット２０を手で把持して固定ネジの周方向に移動させる。そして、投影機ユニット２０の位置が目標の位置となったときに、固定ネジを締めることにより、投影機ユニット２０の位置を規制する。したがって、投影機ユニット２０を一方の手で押さえながら固定ネジを他方の手で締める必要がある。特に、観視者の見えにくい場所においては、固定ネジを締めることは容易ではない。これに対し、実施形態によれば、規制機構３０を備えるため、回動軸２５ｂの周方向における投影機ユニット２０の位置を容易に調整することができる。すなわち、規制機構３０によって回動軸２５ｂの周方向における投影機ユニット２０の位置が規制されるため、投影機ユニット２０を手で押さえる必要がない。したがって、観視者の見えにくい場所においても、投影ユニット２０の位置を片手で容易に調整することができる。
【００４２】
また、規制部３２が、付勢部材３１の付勢力に抗して投影機ユニット２０の第１方向Ｖ１の位置を規制するとともに、投影機ユニット２０を第１方向Ｖ１及び第２方向Ｖ２に回動させることが可能であることで、以下の効果を奏する。投影機ユニット２０に第１方向Ｖ１の付勢力が作用しない場合と比較して、投影機ユニット２０が第２方向Ｖ２に過度に回動することを抑制することができる。すなわち、回動軸２５ｂの周方向における投影機ユニット２０の位置を微調整しやすくなる。また、回動軸２５ｂの周方向における投影機ユニット２０のがたつき（遊び）を抑えることができるため、投影機ユニット２０の位置を固定することができる。
【００４３】
また、規制部３２が、投影機ユニット２０を第１方向Ｖ１及び第２方向Ｖ２に回動させるように、第３方向Ｖ３及び第４方向Ｖ４に進退移動可能であることで、以下の効果を奏する。規制部３２の単純な進退移動によって、回動軸２５ｂの周方向における投影機ユニット２０の位置を調整することができる。したがって、回動軸２５ｂの周方向における投影機ユニット２０の位置をより一層容易に調整することができる。
【００４４】
また、規制部３２が、第２側部２３ｂに当接するねじ先３３ｅを有するおねじ部材３３と、おねじ部材３３の軸部３３ａを回動可能に支持するめねじ部材３４とを備えることで、以下の効果を奏する。規制部３２を簡素な構成とすることができるため、装置構成を簡素化することができる。
【００４５】
また、軸部３３ａの軸線Ｃ２方向から見て、おねじ部材３３の頭部３３ｂの外形が軸部３３ａの外形よりも大きいことで、以下の効果を奏する。軸部３３ａの軸線Ｃ２方向から見て、おねじ部材３３の頭部３３ｂの外形が軸部３３ａの外形と同じか又は軸部３３ａの外形よりも小さい場合と比較して、おねじ部材３３の頭部３３ｂを操作しやすくなる。したがって、回動軸２５ｂの周方向における投影機ユニット２０の位置をより一層容易に調整することができる。また、おねじ部材３３の軸部３３ａを回動させやすくなるため、回動軸２５ｂの周方向における投影機ユニット２０の位置を微調整しやすくなる。
【００４６】
また、回動軸２５ｂが回動可能に挿通される貫通孔４０ｈが形成されるとともに、投影機ユニット２０を覆うカバー４０を更に備えることで、以下の効果を奏する。カバー４０によって回動軸２５ｂを回動可能に支持するとともに、投影機ユニット２０を保護することができる。また、カバー４０とは別個独立に回動軸２５ｂを回動可能に支持する支持部材を設ける場合と比較して、装置構成を簡素化することができる。
【００４７】
また、回動軸２５ｂは、左右の眼が並ぶ方向に沿うメガネ２の幅方向Ｖｗに映像が移動するように、投影機ユニット２０を回動可能に支持することで、以下の効果を奏する。観視者の右眼の位置に個人差がある場合であっても、右眼の位置の個人差に応じて映像を移動させることができる。したがって、映像を見えやすくすることができる。
【００４８】
また、メガネ２とメガネ用投影装置３とを備えた表示装置１において、映像を見えやすくすることができる。
【００４９】
なお、上記実施形態では、規制機構３０が付勢部材３１及び規制部３２を備える例を挙げて説明したが、前記例に限らない。例えば、規制機構３０は、付勢部材３１を備えていなくてもよい。つまり、規制機構３０は、回動軸２５ｂの周方向における投影機ユニット２０の位置を規制するとともに、投影機ユニット２０を回動軸２５ｂの周方向に回動させることが可能であればよい。例えば、規制部３２と投影機ユニット２０の筐体２３とは、規制部３２が第３方向Ｖ３及び第４方向Ｖ４方向に進退移動する場合において、常時、連動するように構成されていてもよい。
【００５０】
また、上記実施形態では、表示装置１がメガネ状の形状を有する例を挙げて説明したが、前記例に限らない。例えば、表示装置１は、ゴーグル状の形状を有してもよい。すなわち、表示装置１は、頭部装着型であればよい。
【００５１】
また、上記実施形態では、右眼用光学部材１１及び左眼用光学部材１２が度なしの部材である例を挙げて説明したが、前記例に限らない。例えば、右眼用光学部材１１及び左眼用光学部材１２が度つきの部材であってもよい。
【００５２】
また、上記実施形態では、連結部材１６の右端部にメガネ用投影装置３が取り付けられる例（すなわち、投影機ユニット２０が右眼用光学部材１１に映像光を入射させる例）を挙げて説明したが、前記例に限らない。例えば、連結部材１６の左端部にメガネ用投影装置３が取り付けられてもよい。すなわち、投影機ユニット２０が左眼用光学部材１２に映像光を入射させる構成であってもよい。また、連結部材１６の左右両端部にメガネ用投影装置３が取り付けられてもよい。すなわち、投影機ユニット２０が右眼用光学部材１１及び左眼用光学部材１２の両方に映像光を入射させる構成であってもよい。
【００５３】
また、上記実施形態では、回動軸２５ｂは、左右の眼が並ぶ方向に沿うメガネ２の幅方向Ｖｗに映像が移動するように、投影機ユニット２０を回動可能に支持する例を挙げて説明したが、前記例に限らない。例えば、回動軸２５ｂは、左右の眼が並ぶ方向と交差する方向（すなわち、メガネ２の幅方向Ｖｗと交差する方向）に映像が移動するように、投影機ユニット２０を回動可能に支持してもよい。
【００５４】
以上述べた少なくともひとつの実施形態によれば、回動軸２５ｂの周方向における投影機ユニット２０の位置を規制するとともに、投影機ユニット２０を回動軸２５ｂの周方向に回動させることが可能な規制機構３０を持つことにより、映像を見えやすくすることができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１…表示装置、２…メガネ、３…メガネ用投影装置、２０…投影機ユニット、２３ａ…第１側部、２３ｂ…第２側部、２５ｂ…回動軸、３０…規制機構、３１…付勢部材、３１ａ…当接部、３２…規制部、３３…おねじ部材、３３ａ…軸部、３３ｂ…頭部、３３ｅ…ねじ先、３４…めねじ部材、４０…カバー、Ｖ１…第１方向、Ｖ２…第２方向、Ｖ３…第３方向、Ｖ４…第４方向、Ｖｗ…メガネの幅方向
【図１】
2017126845.tif 000003
【図２】
2017126845.tif 000004
【図３】
2017126845.tif 000005
【図４】
2017126845.tif 000006
【図５】
2017126845.tif 000007